(57)【特許請求の範囲】
【請求項１】
互いに噛合う外歯ギヤからなる駆動ギヤ及び従動ギヤを備え、
前記駆動ギヤ及び前記従動ギヤの回転方向それぞれは、一方向に設定され、
前記駆動ギヤ及び前記従動ギヤは、前記駆動ギヤ及び前記従動ギヤの噛合い部が作動流体の吐出室と遮断されないように噛合い、
前記駆動ギヤのギヤ歯のうち回転方向後方の部分が、基準歯形と歯形を異ならせる切除部を有するとともに、前記従動ギヤのギヤ歯のうち回転方向前方の部分が、前記基準歯形と歯形を異ならせる切除部を有し、
前記駆動ギヤの前記切除部及び前記従動ギヤの前記切除部それぞれはさらに、前記駆動ギヤ及び前記従動ギヤのうち対応するギヤの歯底に設けられる、
ことを特徴とする車両用ギヤポンプ。
【請求項２】
前記駆動ギヤ及び前記従動ギヤは、前記駆動ギヤが前記従動ギヤを駆動する状態で、前記駆動ギヤのギヤ歯のうち回転方向前方の部分が、前記従動ギヤのギヤ歯のうち回転方向後方の部分に接触することで、前記噛合い部の一ケ所で接触する、
ことを特徴とする請求項１に記載の車両用ギヤポンプ。
【発明の詳細な説明】
【技術分野】
【０００１】
本発明は車両用ギヤポンプに関する。
【背景技術】
【０００２】
特許文献１及び２では、駆動ギヤ及び従動ギヤ間に作動流体の閉込領域を形成するギヤポンプが開示されている。
【先行技術文献】
【特許文献】
【０００３】
【特許文献１】特開２００３−８３２６０号公報
【特許文献２】特開平１１−３０３７６６号公報
【発明の概要】
【発明が解決しようとする課題】
【０００４】
上記閉込領域では、圧力が変動する。結果、駆動ギヤ及び従動ギヤが次のように揺動する。すなわち、閉込領域の圧力が上昇すると、駆動ギヤ及び従動ギヤが揺動代分、互いに離間する方向に押え付けられる。その後、回転が進むと、閉込領域はポンプ低圧側の吸入室に開放され、駆動ギヤ及び従動ギヤを離間させていた力が減少する。結果、駆動ギヤ及び従動ギヤが近づき、やがて接触する。
【０００５】
このため、閉込領域を形成するギヤポンプでは、上記のようにして生じる駆動ギヤ及び従動ギヤの揺動を原因として、振動や騒音が発生する。
【０００６】
本発明は上記に鑑みてなされてものであり、騒音や振動を低減可能な車両用ギヤポンプを提供することを目的とする。
【課題を解決するための手段】
【０００７】
本発明のある態様の車両用ギヤポンプは、互いに噛合う外歯ギヤからなる駆動ギヤ及び従動ギヤを備える。そして、前記駆動ギヤ及び前記従動ギヤの回転方向それぞれは、一方向に設定される。また、前記駆動ギヤ及び前記従動ギヤは、前記駆動ギヤ及び前記従動ギヤの噛合い部が作動流体の吐出室と遮断されないように噛合う。前記駆動ギヤのギヤ歯のうち回転方向後方の部分は、基準歯形と歯形を異ならせる切除部を有するとともに、前記従動ギヤのギヤ歯のうち回転方向前方の部分は、前記基準歯形と歯形を異ならせる切除部を有する。前記駆動ギヤの前記切除部及び前記従動ギヤの前記切除部それぞれはさらに、前記駆動ギヤ及び前記従動ギヤのうち対応するギヤの歯底に設けられる。
【発明の効果】
【０００８】
上記態様の車両用ギヤポンプによれば、駆動ギヤ及び従動ギヤの噛合い部が作動流体の吐出室と遮断されないように、駆動ギヤ及び従動ギヤが噛合うことで、閉込領域が形成されなくなるので、騒音や振動を低減できる。
【図面の簡単な説明】
【０００９】
【図１】実施形態の車両用ギヤポンプの概略構成図である。
【図２】駆動ギヤ及び従動ギヤを示す図である。
【図３】実施形態の車両用ギヤポンプの動作説明図である。
【図４】比較例と比較した実施形態の車両用ギヤポンプの作用効果の説明図である。
【図５】駆動ギヤ及び従動ギヤの第１の変形例を示す図である。
【図６】駆動ギヤ及び従動ギヤの第２の変形例を示す図である。
【発明を実施するための形態】
【００１０】
以下、添付図面を参照しながら本発明の実施形態について説明する。いくつかの図面を通して付された同じ符号は、同一又は対応する構成を示す。
【００１１】
図１は、車両用ギヤポンプ１の概略構成図である。図２は駆動ギヤ３及び従動ギヤ４を示す図である。以下、車両用ギヤポンプ１をポンプ１と称す。ポンプ１は、ケース２と、駆動ギヤ３と、従動ギヤ４と、を備える。
【００１２】
ケース２は、ギヤ室２１と、吸入室２２と、吐出室２３と、を有する。ギヤ室２１は、駆動ギヤ３及び従動ギヤ４を収容する。吸入室２２は、ポンプ１が吸入する作動流体を収容する。吐出室２３は、ポンプ１が吐出する作動流体を収容する。吐出室２３では、ポンプ１の駆動時に、作動流体の圧力が吸入室２２より高くなる。ケース２は、複数の部材で構成されてよい。
【００１３】
駆動ギヤ３及び従動ギヤ４はともに、外歯ギヤであり互いに噛合う。駆動ギヤ３は複数のギヤ歯３１を、従動ギヤ４は複数のギヤ歯４１をそれぞれ備える。複数のギヤ歯３１及び複数のギヤ歯４１の歯数は、ここではともに８枚である。駆動ギヤ３及び従動ギヤ４は、平歯車である。駆動ギヤ３及び従動ギヤ４は、平歯車以外の歯車であってもよい。
【００１４】
駆動ギヤ３は、従動ギヤ４を駆動する。駆動ギヤ３は、ポンプ１を搭載する車両の内燃機関によって駆動され、回転する。従動ギヤ４は、駆動ギヤ３の回転に応じて回転する。駆動ギヤ３及び従動ギヤ４の回転方向それぞれは、図１に円弧状の矢印で示すように一方向に設定される。なお、駆動ギヤ３の回転方向と従動ギヤ４の回転方向とは、互いに逆方向である。
【００１５】
駆動ギヤ３及び従動ギヤ４は、次のように噛合う。すなわち、駆動ギヤ３及び従動ギヤ４の噛合い部Ｐが、吐出室２３と遮断されないように噛合う。噛合い部Ｐは、駆動ギヤ３が従動ギヤ４に駆動力を伝達する部分である。駆動ギヤ３及び従動ギヤ４がこのように噛合うポンプ１では、複数のギヤ歯３１及び複数のギヤ歯４１が次のように設けられる。
【００１６】
すなわち、複数のギヤ歯３１及び複数のギヤ歯４１は、互いに隣り合う２つのギヤ歯３１のうち回転方向前方のギヤ歯３１がギヤ歯４１と噛合い部Ｐで噛合っている状態で、回転方向後方のギヤ歯３１がギヤ歯４１と噛合わないように設けられる。これにより、隣り合う２つのギヤ歯３１のうち回転方向後方のギヤ歯３１がギヤ歯４１と噛合うことによって、回転方向前方のギヤ歯３１における噛合い部Ｐが吐出室２３と遮断されることが回避される。
【００１７】
ポンプ１では、さらにギヤ歯３１のうち回転方向後方の部分が切除部３２を、ギヤ歯４１のうち回転方向前方の部分が切除部４２を有する。切除部３２及び切除部４２は、基準歯形と歯形を異ならせる。基準歯形は例えばインボリュート歯形である。基準歯形は、ギヤポンプに適用可能なその他の歯形であってもよい。
【００１８】
ギヤ歯３１のうち回転方向前方の部分は切除部３２を有しないため、基準歯形に沿った形状を有する。同様に、ギヤ歯４１のうち回転方向後方の部分は切除部４２を有しないため、基準歯形に沿った形状を有する。このため、基準歯形はこれらの部分によって確認することができる。
【００１９】
基準歯形がインボリュート歯形の場合など、ギヤ歯３１やギヤ歯４１において回転方向前方の部分及び回転方向後方の部分間で形状が対称である場合、切除部３２は、ギヤ歯３１のうち回転方向後方の部分の形状を回転方向前方の部分の形状と異ならせる。同様に、切除部４２は、ギヤ歯４１のうち回転方向前方の部分の形状を回転方向後方の部分の形状と異ならせる。
【００２０】
このような切除部３２及び切除部４２は、ギヤ歯３１のうち回転方向後方の部分と、ギヤ歯４１のうち回転方向前方の部分との接触によって、噛合い部Ｐが吐出室２３と遮断されないように設けられる。
【００２１】
具体的には、切除部３２及び切除部４２は、駆動ギヤ３が従動ギヤ４を駆動する状態で、ギヤ歯３１のうち回転方向後方の部分と、ギヤ歯４１のうち回転方向前方の部分とが接触しないように設けられる。駆動ギヤ３が従動ギヤ４を駆動する状態とは、駆動ギヤ３が噛合い部Ｐで従動ギヤ４と接触する状態である。
【００２２】
このように設けられた切除部３２及び切除部４２において、切除部３２は、図２に示すように、駆動ギヤ３の厚さ方向における全範囲に亘って、ギヤ歯３１の歯先及び歯底間の歯面部を面で切除するように設けられる。切除部４２も同様である。切除部３２及び切除部４２は、基準歯形を形成した後に追加工によって設けることができる。切除部３２及び切除部４２は追加工ではなく、歯形形成時に設けられてもよい。
【００２３】
複数のギヤ歯３１及び複数のギヤ歯４１と、切除部３２及び切除部４２とが上述したように構成された駆動ギヤ３及び従動ギヤ４は、駆動ギヤ３が従動ギヤ４を駆動する状態で、噛合い部Ｐの一ケ所で接触する。具体的には、駆動ギヤ３のギヤ歯３ａのうち回転方向前方の部分が、従動ギヤ４のギヤ歯４ａのうち回転方向後方の部分に接触することで、噛合い部Ｐの一ケ所で接触する。
【００２４】
次にポンプ１の主な作用効果について説明する。
【００２５】
図３（ａ）から図３（ｃ）は、ポンプ１の動作説明図である。図３（ａ）は、任意のギヤ歯３１及びギヤ歯４１の噛合い開始時の駆動ギヤ３及び従動ギヤ４の状態を示す。図３（ｂ）は、任意のギヤ歯３１及びギヤ歯４１の噛合い開始後、噛合い終了前の駆動ギヤ３及び従動ギヤ４の状態を示す。図３（ｃ）は、任意のギヤ歯３１及びギヤ歯４１の噛合い終了時の駆動ギヤ３及び従動ギヤ４の状態を示す。
【００２６】
図３（ａ）や図３（ｂ）に示すように、駆動ギヤ３及び従動ギヤ４は、任意のギヤ歯３１及びギヤ歯４１の噛合い開始時から噛合い終了時直前まで、噛合い部Ｐの一ケ所で接触する。そして、図３（ｃ）に示すように、これらギヤ歯３１及びギヤ歯４１の接触が解除された場合に、次のギヤ歯３１及びギヤ歯４１が噛合いを開始する。結果、駆動ギヤ３及び従動ギヤ４が新たな噛合い部Ｐの一ケ所で接触する。
【００２７】
このため、ポンプ１では、噛合い部Ｐが吐出室２３と遮断されないように、駆動ギヤ３及び従動ギヤ４が噛合う。したがって、駆動ギヤ３及び従動ギヤ４間には、作動流体の閉込領域が形成されない。そして、閉込領域が形成されなければ、閉込領域における作動流体の圧力変動に起因して、駆動ギヤ３及び従動ギヤ４が揺動することもない。このため、ポンプ１は、駆動ギヤ３及び従動ギヤ４の揺動発生原因を減少させることで、騒音や振動を低減できる。
【００２８】
このように駆動ギヤ３及び従動ギヤ４が噛合うポンプ１は、さらに次のような作用効果を有する。
【００２９】
図４（ａ）から図４（ｄ）は、比較例であるポンプ１´と比較したポンプ１の作用効果の説明図である。図４（ａ）では、ポンプ１´及びポンプ１の構成を示す。図４（ｂ）では、図４（ａ）に示す閉込領域Ｒにおけるポンプ１´の圧力変化と、閉込領域Ｒに対応する領域におけるポンプ１の圧力変化を示す。図４（ｃ）では、ポンプ１´及びポンプ１それぞれのトルク変動を示す。図４（ｄ）では、ポンプ１´及びポンプ１それぞれについて、図４（ａ）に示すＸ方向及びＹ方向に沿って駆動ギヤ３及び従動ギヤ４に作用する作動流体力を示す。
【００３０】
なお、図４（ｂ）から図４（ｄ）において、図中左側に示すポンプ１´のグラフと、図中右側に示すポンプ１のグラフを結ぶ線は、縦軸スケールの差を示す。図４（ｄ）では、Ｘ方向に作用する作動流体力を実線で、Ｙ方向に作用する作動流体力を破線でそれぞれ示す。
【００３１】
図４（ａ）に示すように、ポンプ１´は、噛合い時に２点で接触する駆動ギヤ３´及び従動ギヤ４´を備える。このようなポンプ１´は、駆動ギヤ３´及び従動ギヤ４´間に作動流体の閉込領域Ｒを形成する。
【００３２】
図４（ｂ）に示すように、ポンプ１´では、閉込領域Ｒで作動流体の圧力が上昇するが、閉込領域Ｒを形成しないポンプ１では、閉込領域Ｒに対応する領域で作動流体の圧力上昇が抑制される。
【００３３】
このため、ポンプ１では、駆動ギヤ３及び従動ギヤ４間から吸入室２２への作動流体のリーク量が減少し、ポンプ効率の向上が図られる。また、作動流体の圧力が吐出圧を上回る、すなわち必要以上に高圧になることも防止される。ポンプ１では、ポンプ１´において閉込領域Ｒに閉じ込められ、高圧になるはずの作動流体が吐出室２３に流出する。このため、ポンプ１ではこれによってもポンプ効率の向上が図られる。
【００３４】
上述したように、ポンプ１では、閉込領域Ｒに対応する領域で作動流体の圧力上昇が抑制されるため、トルクへの影響も軽減される。このため、図４（ｃ）に示すように、ポンプ１では、ポンプ１´と比較してトルク変動も抑制される。結果、ポンプ１の駆動に必要なトルクも減少し、ポンプ１を駆動する内燃機関の燃費改善も図られる。
【００３５】
上述したように、ポンプ１では、閉込領域Ｒに対応する領域で作動流体の圧力上昇が抑制されるため、図４（ｄ）に示すように、ポンプ１´と比較して駆動ギヤ３及び従動ギヤ４に作用する作動流体力も減少する。このため、駆動ギヤ３及び従動ギヤ４の耐久性向上も図られる。
【００３６】
ところで、ポンプ１では、駆動ギヤ３及び従動ギヤ４が、駆動ギヤ３が従動ギヤ４を駆動する状態で、前述したように噛合い部Ｐの一ケ所で接触する。この場合、上述したような閉込領域の対応領域を吐出室２３に大きく開放することができる。結果、閉込領域の対応領域で作動流体の圧力上昇をより効果的に抑制することができる。
【００３７】
このため、このような構成のポンプ１は、上述の効果を好適に奏することができる。このような構成のポンプ１は、駆動ギヤ３及び従動ギヤ４を噛合い部Ｐの一ケ所で接触するように構成することで増加する油輸送容積の分、吐出量の増加を図ることもできる。また、吐出量が増加する分、小型化を図ることで、吐出量を増加させる代わりに搭載性を向上させることや、小型化による軽量化を図ることで、ポンプ１を駆動する内燃機関の燃費改善を図ることもできる。
【００３８】
ポンプ１では、駆動ギヤ３のギヤ歯３１のうち回転方向後方の部分が切除部３２を有するとともに、従動ギヤ４のギヤ歯４１のうち回転方向前方の部分が切除部４２を有する。このような構成のポンプ１は、駆動ギヤ３及び従動ギヤ４を切除部３２及び切除部４２によって切除した分、油輸送容積を増加させることができる。結果、吐出量を増加させることができる。
【００３９】
このような構成のポンプ１は、吐出量が増加する分、小型化を図ることで、吐出量を増加させる代わりに搭載性を向上させることもできる。また、小型化により軽量化を図ることで、ポンプ１を駆動する内燃機関の燃費改善を図ることもできる。このような構成のポンプ１は、駆動ギヤ３及び従動ギヤ４を切除部３２及び切除部４２によって切除した分、軽量化を図ることもできる。
【００４０】
ところで、ギヤポンプは車両のほか、例えばプラント設備で用いられる。ところが、プラント設備と車両との間には一般に、以下のような違いがある。
【００４１】
すなわち、プラント設備では、ギヤポンプが安定した温度環境下で定常運転される。また、プラント設備用の場合、ギヤポンプは設備毎に個別に製造可能である。
【００４２】
ところが、車両では、ギヤポンプが内燃機関によって駆動されるなど、車両の走行状態に応じて駆動する。このため、車両用のギヤポンプでは、回転速度が頻繁に変化するため、駆動用及び従動用の２つのギヤに揺動が発生し易い。
【００４３】
また、車両は幅広い温度環境下で使用される。さらに、量産される車両用の場合、ギヤポンプには量産を考慮した寸法公差が設けられる。このため、車両用のギヤポンプでは、熱変形の影響を考慮して設けられた揺動代や、寸法公差によって生じる揺動代によって、揺動代が大きくなり易い。したがって、２つのギヤに揺動が発生し易い。
【００４４】
このような事情に鑑み、駆動ギヤ３及び従動ギヤ４の揺動発生原因を減少させることで、騒音や振動を低減可能なポンプ１は、車両用として構成されるのに適している。
【００４５】
ポンプ１では、切除部３２及び切除部４２が、駆動ギヤ３が従動ギヤ４を駆動する状態で、ギヤ歯３１のうち回転方向後方の部分と、ギヤ歯４１のうち回転方向前方の部分とが接触しないように設けられる。
【００４６】
ポンプ１はこのような構成である場合に、ギヤ歯３１のうち回転方向後方の部分と、ギヤ歯４１のうち回転方向前方の部分との接触によって、噛合い部Ｐが吐出室２３と遮断されることを回避することができる。
【００４７】
切除部３２及び切除部４２は、次のように構成されてもよい。
【００４８】
図５は駆動ギヤ３及び従動ギヤ４の第１の変形例を示す図である。第１の変形例において、切除部３２は、駆動ギヤ３の厚さ方向における一部の範囲、具体的には一端部から中央部に亘って、ギヤ歯３１の歯先及び歯底間の歯面部を面で切除するように設けられる。切除部４２も同様である。
【００４９】
このように設けられた切除部３２及び切除部４２は、駆動ギヤ３が従動ギヤ４を駆動する状態で、ギヤ歯３１のうち回転方向後方の部分の一部と、ギヤ歯４１のうち回転方向前方の部分の一部とが接触しないように設けられる。したがって、ギヤ歯３１のうち回転方向後方の部分と、ギヤ歯４１のうち回転方向前方の部分と間で、駆動ギヤ３及び従動ギヤ４が部分的に非接触となる。
【００５０】
そして、このように切除部３２及び切除部４２を設けた場合でも、ギヤ歯３１のうち回転方向後方の部分と、ギヤ歯４１のうち回転方向前方の部分との接触によって、噛合い部Ｐが吐出室２３と遮断されないように切除部３２及び切除部４２を設けることができる。
【００５１】
図６は駆動ギヤ３及び従動ギヤ４の第２の変形例を示す図である。第２の変形例において、切除部３２はさらに駆動ギヤ３の歯底に設けられる。駆動ギヤ３の歯底において、切除部３２は、駆動ギヤ３の厚さ方向における全範囲に亘って設けられる。駆動ギヤ３の歯底において、切除部３２は、駆動ギヤ３の厚さ方向における一部の範囲に設けられてもよい。上記内容は、切除部４２についても同様である。
【００５２】
そして、このように切除部３２及び切除部４２を設けた場合でも、ギヤ歯３１のうち回転方向後方の部分と、ギヤ歯４１のうち回転方向前方の部分との接触によって、噛合い部Ｐが吐出室２３と遮断されないように切除部３２及び切除部４２を設けることができる。この場合、ポンプ１は歯底が深くなる分、油輸送容積をさらに増加させることができる。したがって、吐出量の増加や、搭載性向上や、内燃機関の燃費改善をより好適に図ることができる。
【００５３】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００５４】
１      ポンプ
２      ケース部
２１    ギヤ室
２２    吸入室
２３    吐出室
３      駆動ギヤ
３１    ギヤ歯
３２    切除部
４      従動ギヤ
４１    ギヤ歯
４２    切除部
【図１】
0006394097.tif 000002
【図２】
0006394097.tif 000003
【図３】
0006394097.tif 000004
【図４】
0006394097.tif 000005
【図５】
0006394097.tif 000006
【図６】
0006394097.tif 000007